(57)【要約】      （修正有）【課題】取り扱いの容易な土寄せ板を備える作業機を提供する。【解決手段】走行機体の後部に装着され、耕うんロータを回転させながら前記走行機体の前進走行に伴って進行して圃場を耕うんし、前記走行機体の通過により圃場表面に形成された凹部に土を寄せることが可能な土寄せ板７１０ｃが設けられた作業機であって、前記土寄せ板は、土を寄せる板状部および前記板状部と一体に設けられたハンドル部７１３を有し、前記板状部は、作業機に装着された状態において、外側の側部が、前記走行機体の進行方向上の水平面に対して鋭角をなす、作業機。【選択図】図７
2020115884.tif 000002
【特許請求の範囲】
【請求項１】
走行機体の後部に装着され、
耕うんロータを回転させながら前記走行機体の前進走行に伴って進行して圃場を耕うんし、
前記走行機体の通過により圃場表面に形成された凹部に土を寄せることが可能な土寄せ板が設けられた作業機であって、
前記土寄せ板は、土を寄せる板状部および前記板状部と一体に設けられたハンドル部を有し、
前記板状部は、作業機に装着された状態において、外側の側部が、前記走行機体の進行方向上の水平面に対して鋭角をなす、作業機。
【請求項２】
前記ハンドル部は、前記土寄せ板を把持するための穴部を含む、請求項１に記載の作業機。
【請求項３】
前記板状部は、作業機に装着された状態において、土寄せ作業を行う土寄せ面が、前記走行機体の進行方向上の水平面に対して鋭角をなす、請求項１または２に記載の作業機。
【請求項４】
前記板状部は、作業機に装着された状態において、土寄せ作業を行う土寄せ面が、前記走行機体の進行方向上の鉛直面に対して鋭角をなす、請求項１から３のいずれか一項に記載の作業機。
【請求項５】
前記板状部は、作業機に装着された状態において、下辺の内側及び外側の端部にそれぞれ直線状の切欠が形成され、
前記下辺の外側の端部に形成される切欠は、前記外側の側部を構成する、請求項１から４のいずれか一項に記載の作業機。
【請求項６】
前記土寄せ板は、土寄せ作業を行う土寄せ面に凸部を有する、請求項１から５のいずれか一項に記載の作業機。
【請求項７】
前記土寄せ板は、前記凹部の左右に位置するように隣接して２枚設けられ、前記２枚の土寄せ板の土寄せ面が互いに向き合う、請求項１から６のいずれか一項に記載の作業機。
【請求項８】
前記耕うんロータは多数の作業爪を備え、
前記多数の作業爪のうち少なくとも１つは、前記耕うんロータの回転軸に対して略直交する縦刃部がストレート形状であり、前記縦刃部から延設される横刃部が前記縦刃部に対して略直交する形状の土寄せ爪であり、
前記土寄せ爪は、前記凹部の側方に設けられ、前記縦刃部から延設される横刃部が前記凹部側を向くように配置される、請求項１から７のいずれか一項に記載の作業機。
【発明の詳細な説明】
【技術分野】
【０００１】
本発明は作業機に関する。特に、トラクタの後部に装着されて圃場を耕うんする耕うん作業機に関する。
【背景技術】
【０００２】
このような耕うん作業機には、例えば、耕うん軸に取り付けられた複数の耕うん爪を回転させて圃場を耕す耕うんロータと、耕うんロータの後方に設けられ、耕うんされた土を均平にする整地体と、整地体の後部に設けられ、整地体に対して上下方向に回動可能に支持されて圃場表面に接するレベラとを有する代かき作業機がある。
【０００３】
このような代かき作業機は、トラクタ（走行機）が通過した後の圃場表面を耕し均平化する作業を行うところ、作業領域となる圃場表面の土がトラクタのタイヤの通過によって押し出されることによって凹部（タイヤ跡）が形成され、土の偏りが生じる場合がある。このタイヤ跡による土の偏りによって、代かき作業機による均平作業の仕上がりが不十分になる場合がある。
【０００４】
そこで、作業機の進行方向前側（走行機側）に土寄せ板が設けられた作業機が知られている。土寄せ板は、作業機から進行方向前側に向かって突出する板状の部材であって、走行機のタイヤ等の位置の後方に設置され、走行機のタイヤの通過等によって形成された圃場表面の凹部に土を埋め戻して（土を寄せて）土の偏りを緩和する。
【０００５】
例えば、特許文献１において、トラクタのタイヤの通過によって形成される凹部に土を寄せる（埋め戻す）ための土寄せ板を備える代かき作業機が開示されている。特許文献１に開示された土寄せ板は、軸部５１に対して板状部５３が傾斜しており、かつ、板状部５３の一方側の角部に切り欠き５３ｃが形成され、平面視において上下方向が長手方向となる略長方形状である。
【先行技術文献】
【特許文献】
【０００６】
【特許文献１】特開２０１２−２００１７４号公報
【発明の概要】
【発明が解決しようとする課題】
【０００７】
しかしながら、特許文献１に開示された土寄せ板では、土を押し流す量が不足し、タイヤ跡等の凹部に土を寄せる跡消し性能が十分ではないという問題があった。
【０００８】
本発明は、そのような課題に鑑みてなされたものであり、タイヤ跡等の凹部に十分な量の土を寄せることができ、跡消し性能が向上した土寄せ板を備える作業機を提供することを目的とする。
【課題を解決するための手段】
【０００９】
本発明の一実施形態による作業機は、走行機体の後部に装着され、耕うんロータを回転させながら前記走行機体の前進走行に伴って進行して圃場を耕うんし、前記走行機体の通過により圃場表面に形成された凹部に土を寄せることが可能な土寄せ板が設けられた作業機であって、前記土寄せ板は、土を寄せる板状部を有し、前記板状部は、作業機に装着された状態において、外側の側部が、前記走行機体の進行方向上の水平面に対して鋭角をなすことを特徴とする。
【００１０】
また、別の態様において、前記板状部は、作業機に装着された状態において、土寄せ作業を行う土寄せ面が、前記走行機体の進行方向上の水平面に対して鋭角をなすものでもよい。
【００１１】
また、別の態様において、前記板状部は、作業機に装着された状態において、土寄せ作業を行う土寄せ面が、前記走行機体の進行方向上の鉛直面に対して鋭角をなすものでもよい。
【００１２】
また、別の態様において、前記板状部は、作業機に装着された状態において、下辺の内側及び外側の端部にそれぞれ直線状の切欠が形成され、前記下辺の外側の端部に形成される切欠は、前記外側の側部を構成してもよい。
【００１３】
また、別の態様において、前記土寄せ板は、前記板状部の上部に延設されたハンドル部を含むものでもよい。
【００１４】
また、別の態様において、前記土寄せ板は、土寄せ作業を行う土寄せ面に凸部を有するものでもよい。
【００１５】
また、別の態様において、前記土寄せ板は、前記凹部の左右に位置するように隣接して２枚設けられ、前記２枚の土寄せ板の土寄せ面が互いに向き合うものでもよい。
【００１６】
また、別の態様において、前記耕うんロータは多数の作業爪を備え、前記多数の作業爪のうち少なくとも１つは、前記耕うんロータの回転軸に対して略直交する縦刃部がストレート形状であり、前記縦刃部から延設される横刃部が前記縦刃部に対して略直交する形状の土寄せ爪であり、前記土寄せ爪は、前記凹部の側方に設けられ、前記縦刃部から延設される横刃部が前記凹部側を向くように配置されてもよい。
【発明の効果】
【００１７】
本発明に係る作業機によれば、タイヤ跡等の凹部に十分な量の土を寄せることができ、跡消し性能が向上した土寄せ板を備える作業機を提供することができる。
【図面の簡単な説明】
【００１８】
【図１】本発明の一実施形態に係る作業機の全体構成を示す上面図である。
【図２】本発明の一実施形態に係る作業機の全体構成を示す側面図である。
【図３】本発明の一実施形態に係る作業機に装着された状態における土寄せ部を示す部分説明図である。図３（ａ）は土寄せ部の上面図、図３（ｂ）は図３（ａ）のＡ方向から見た平面図、図３（ｃ）は図３（ａ）のＣ方向から見た平面図、図３（ｄ）は図３（ａ）のＢ方向から見た平面図である。
【図４】本発明の一実施形態に係る作業機に装着される土寄せ板を示す図である。図４（ａ）は土寄せ板の側面図、図３（ｂ）は土寄せ板の平面図である。
【図５】本発明の一実施形態に係る作業機に装着される土寄せ板を示す図である。図５（ａ）は土寄せ板の側面図、図５（ｂ）は図５（ａ）のＡ方向から見た平面図、図５（ｃ）は図５（ａ）のＢ方向から見た平面図である。
【図６】本発明の一実施形態に係る作業機に装着された状態における土寄せ部を示す部分説明図である。図６（ａ）は土寄せ板の上面図、図６（ｂ）は図６（ａ）のＡ方向から見た平面図、図６（ｃ）は図６（ａ）のＣ方向から見た平面図、図６（ｄ）は図６（ａ）のＢ方向から見た平面図である。
【図７】本発明の一実施形態に係る作業機に装着される土寄せ板を示す図である。図７（ａ）は土寄せ板の側面図、図７（ｂ）は土寄せ板の平面図である。
【図８】本発明の一実施形態に係る作業機に装着される土寄せ板を示す図である。図８（ａ）は本発明の一実施形態における土寄せ板の側面図、図８（ｂ）は図８（ａ）のＡ方向から見た平面図、図８（ｃ）は図５（ａ）のＢ方向から見た平面図である。
【発明を実施するための形態】
【００１９】
以下、図面を参照して本発明に係る作業機について説明する。但し、本発明の作業機は多くの異なる態様で実施することが可能であり、以下に示す実施の形態の記載内容に限定して解釈されるものではない。なお、本実施の形態で参照する図面において、同一部分または同様な機能を有する部分には同一の符号を付し、その繰り返しの説明は省略する。また、説明の便宜上、上方（上部）又は下方（下部）という語句を用いて説明するが、上方（上部）又は下方（下部）はそれぞれ作業機の作業状態における向きを示す。また、同様に、前方（前側）又は後方（後側）という語句を用いて説明するが、前方（前側）は作業機に対する作業機を牽引する走行機の方向を示し、後方（後側）は走行機に対する作業機の方向を示す。
【００２０】
〈実施形態１〉
図１から図４を用いて、本発明の実施形態１に係る作業機の全体構成及び土寄せ板の構成について説明する。本発明の実施形態１に係る作業機は、耕うん機や代かき機のように、例えばトラクタなどの走行機の後部に連結され、作業爪を回転させることで土壌を耕し又は撹拌する作業機であってもよい。実施形態１では、作業機の一例として代かき機を用いて本発明の構成を説明するが、本発明に係る作業機は耕うん機であってもよく、耕うん機又は代かき機以外の作業機であってもよい。特に、実施形態１では、作業機本体の両側に左右の作業体が折り畳み及び展開可能に設けられたものを例にして説明する。
【００２１】
［作業機１０の構成］
図１は、本発明の一実施形態に係る作業機の全体構成を示す上面図である。また、図２は、本発明の一実施形態に係る作業機の全体構成を示す側面図である。図１及び図２に示すように、実施形態１に係る作業機１０は、機体５、作業部１００、延長作業部２００、レベラ拡張部５１０、ロータ部６００、及び土寄せ部７００を有する。
【００２２】
機体５は、作業機の左右方向に延びる主フレーム３を含み、主フレーム３の左右両端部には伝動フレーム（チェーンケース）６２０と側部フレーム９が垂設され、伝動フレーム（チェーンケース）６２０と側部フレーム９との下部間には多数の作業爪６１０が取り付けられた耕うんロータ（図示せず）が回転自在に支持される。
【００２３】
作業部１００は、シールドカバー１１０、整地体１２０及びレベラ１３０を有する。シールドカバー１１０と整地体１２０とは、接続部１２２を回転移動の軸（回動軸）として接続されている。また、整地体１２０とレベラ１３０とは、接続部１３２を回動軸として接続されている。整地体１２０はロータ部６００の作業によって飛散された飛散物が外部に放出されることを抑制する。また、整地体１２０及びレベラ１３０はロータ部６００（図２参照）の作業によって耕うんされた土壌を均平にする。シールドカバー１１０はロータ部６００の上方を覆う位置に設けられている。
【００２４】
延長作業部２００は作業部１００の左右両端部に設けられ、作業部１００の上方に折り畳まれた収納状態（図示せず）と、図１に示すように展開された作業状態とを切り替え可能に作業部１００に接続されている。
【００２５】
延長作業部２００は、作業部１００と同様に延長シールドカバー２１０、延長整地体２２０及び延長レベラ２３０を有する。延長シールドカバー２１０は、作業爪６１０（図２参照）を回転させるロータ部６００のうち延長作業部２００に対応して設けられた作業ロータの上方に設けられている。延長整地体２２０は、当該作業ロータの後方に設けられており、延長シールドカバー２１０に接続部２２２を軸として回動可能に接続されている。延長レベラ２３０は、上記作業ロータの後方に設けられており、延長整地体２２０に接続部２３２を軸として回動可能に接続されている。延長整地体２２０は整地体１２０と連動し、ロータ部６００の作業によって飛散された飛散物が外部に放出されることを抑制する。また、延長レベラ２３０はレベラ１３０と連動し、ロータ部６００の作業によって耕うんされた土壌を整地する。
【００２６】
延長レベラ２３０の端部には、整地可能な幅をさらに広げることができるレベラ拡張部５１０が設けられている。レベラ拡張部５１０は延長レベラ２３０に回動可能に接続されている。また、レベラ拡張部５１０はレベラ１３０及び延長レベラ２３０の延長方向に対して傾斜した方向に延長している（長手を有している）。
【００２７】
図２に示すように、ロータ部６００には、伝動フレーム（チェーンケース）６２０と側部フレーム９の下部間に多数の作業爪６１０が取り付けられた耕うんロータ（図示せず）が回転自在に支持されている。耕うんロータに取り付けられた多数の作業爪６１０は、伝動フレーム（チェーンケース）６２０内の伝動機構を介して伝達された動力によって所定方向回動し、土壌に作用することで土壌を耕し又は撹拌する。なお、図２において、作業爪６１０が回動する範囲を回動範囲６１２として示した。
【００２８】
図１に示すように、シールドカバー１１０の走行機側には土寄せ部７００が設けられている。土寄せ部７００は、土寄せ板７１０、土寄せ板取付部材７２０、支持部材７３０、土寄せ部取付部材７４０、グリップ７５０（図３参照）を有する。土寄せ部７００は、作業機１０の使用時において、走行機の車輪等の位置に合わせて設置され、轍等の凹部による土の偏りを緩和する。
【００２９】
［土寄せ部７００の全体構造］
土寄せ部７００の構成について図３及び図４を用いて詳しく説明する。まず、図３を用いて土寄せ部７００の全体構造について説明する。図３は、本発明の一実施形態に係る作業機に装着された状態における土寄せ部を示す部分説明図である。図３（ａ）は土寄せ部の上面図、図３（ｂ）は図３（ａ）のＡ方向から見た平面図、図３（ｃ）は図３（ａ）のＣ方向から見た平面図、図３（ｄ）は図３（ａ）のＢ方向から見た平面図である。
【００３０】
図３（ｄ）に示すように、土寄せ板７１０ａは土を寄せる土寄せ面７６０ａを有し、図３（ａ）及び図３（ｂ）に示すように、土寄せ板取付部材７２０ａは土寄せ面７６０ａの裏面に傾斜して固定されている。
【００３１】
また、図３（ｂ）に示すように、土寄せ板取付部材７２０ａの土寄せ板７１０ａに固定されている側とは反対側に、支持部材７３０がボルト等によって取り付けられている。支持部材７３０には複数の孔７３３が上下方向に並んで設けられている。
【００３２】
支持部材７３０の外側には土寄せ部取付部材７４０が嵌合されており、土寄せ部取付部材７４０にはロックピン（図示せず）を貫通するための孔７４４が設けられている。土寄せ部取付部材７４０に設けられた孔７４４は、土寄せ部取付部材７４０を支持部材７３０の上下方向に沿ってスライド移動することによって、支持部材７３０に設けられた複数の孔７３３の各位置と重なるように形成されている。土寄せ部取付部材７４０と支持部材７３０とは、土寄せ部取付部材７４０に設けられた孔７４４の位置を支持部材７３０に設けられた孔７３３のいずれかの位置に合わせて両孔ともロックピンで貫通することによって固定される。
【００３３】
このように、支持部材７３０に設けられた複数の孔７３３のいずれの位置に合わせるかによって作業機に対する土寄せ板７１０ａの上下方向の位置を変更することができ、圃場条件や目的に応じて土寄せ板７１０ａが圃場表面の轍等に作用する深さを調節することができる。
【００３４】
また、土寄せ部取付部７４０にはＵ字型ボルト７４１とナット７４２によって形成されるスライド孔７４８が設けられており、スライド孔７４８は作業機１０のシールドカバーに設けられた角パイプ状のフレームの外周にスライド可能に嵌合されて作業機１０に固定される。
【００３５】
このように、土寄せ部取付部材７４０のスライド孔７４８は、シールドカバーに設けられた角パイプ状のフレームの外側にスライド可能に嵌合されるため、土寄せ部７００ａは、当該フレームに沿って作業機の幅方向（走行機の進行方向に対して直交する方向）に移動可能である。
【００３６】
これにより、作業機の幅方向において土寄せ板７１０ａの位置を変更することができるので、タイヤの位置やタイヤ幅が異なる様々な走行機体にも対応可能であり、各走行機体のタイヤに応じて適切な位置に土寄せ板７１０ａを移動することができる。
【００３７】
［土寄せ板の平面形状］
次に、図４を用いて土寄せ板の平面形状について説明する。図４は、図３に示す土寄せ部に含まれる土寄せ板を示す図である。図４（ａ）は土寄せ板の側面図、図４（ｂ）は土寄せ板の平面図である。図４に示すように、土寄せ板７１０ａは平面視において略矩形の薄い板状の部材である。図４（ｂ）に示すように、土寄せ板７１０ａにおいては、その全体が土を寄せる板状部７１１（７１１ａ）を構成している。
【００３８】
土寄せ板７１０ａ（板状部７１１ａ）は、作業機に装着された状態において、下辺７１７ａの内側（土流れの下流側）の端部に直線状の切欠Ｃ１１が形成され、下辺７１７ａの外側（土流れの上流側）の端部に直線状の切欠Ｃ１２が形成されている。下辺７１７ａの外側の端部に形成された直線状の切欠Ｃ１２は、作業機に装着された状態において土寄せ板７１０ａの外側側面（図３（ｂ）参照）に相当する側部７１８ａを構成する。
【００３９】
土寄せ板７１０ａ（板状部７１１ａ）の下辺７１７ａの内側端部に切欠Ｃ１１を形成することによって、土寄せ板７１０ａの内側（凹部側）への土の流れが発生しやすくなり、より効果的に土を寄せることができる。
【００４０】
また、土寄せ板７１０ａの平面形状において、上辺７１９と側部７１８ａとがなす角度Ｒ１１は、側部７１８ａの傾斜角度を決定する。土寄せ板７１０ａの平面形状における側部７１８ａの傾斜角度は、後述するように、土寄せ板７１０ａが作業機に取り付けられた状態において、側部７１８と走行機体の進行方向上の水平面とのなす角度が所定の角度になるように形成される。
【００４１】
また、土寄せ板７１０ａの平面形状において、土寄せ板７１０ａ（板状部７１１ａ）の全福Ｗ１１が小さいと、土寄せ板７１０ａ（板状部７１１ａ）によって土を流す量が不足し、跡消し性能が悪化することが判明した。本発明にかかる作業機は、土寄せ板７１０ａ（板状部７１１ａ）の全福Ｗ１１を、他の部材との干渉を回避しつつ、可能な限り大きくすることによって、十分な土の流量を確保し、跡消し性能を向上させることができる。具体的には、図４（ｂ）の全福Ｗ１１は３００ｍｍ程度であることが好ましい。
【００４２】
同様に、土寄せ板７１０ａの平面形状において、土寄せ板７１０ａ（板状部７１１ａ）の下部福Ｗ１２が小さいと、土寄せ板７１０ａ（板状部７１１ａ）の下方の土を流す量が不足し、跡消し性能が悪化することが判明した。本発明にかかる作業機は、土寄せ板７１０ａ（板状部７１１ａ）の下部福Ｗ１２を、後述する側部７１８の措定の角度を確保しつつ、可能な限り大きくすることによって、下層の土の流量を確保し、跡消し性能を向上させることができる。
【００４３】
［作業機に装着された状態における土寄せ板７１０ａの構成］
再び図３（ａ）を用いて作業機に装着された状態における土寄せ板７１０ａの構成について説明する。図３（ａ）を参照すると、土寄せ板７１０ａは、作業機に装着された状態において、土寄せ面７６０ａが、走行機体の進行方向（図３（ａ）に矢印Ｄで示す方向）上の鉛直面に対して鋭角をなす。具体的には、図３（ａ）において、土寄せ面７６０ａと走行機体の進行方向上の鉛直面とのなす角度θ１１が約４５°となるように、土寄せ板取付部材７２０ａと土寄せ板７１０ａとが傾斜して固定されている。
【００４４】
これに対して、土寄せ面７６０ａと走行機体の進行方向上の鉛直面とのなす角度θ１１が約９０°である場合（土寄せ面７６０ａが作業機の幅方向に対して略平行である場合）には、土寄せ面が土を前方に押し出すことによって土寄せ板の前方に土が滞留し、凹部に十分な量の土を寄せることができないことが判明した。
【００４５】
本発明にかかる作業機のように、土寄せ面７６０ａと走行機体の進行方向上の鉛直面とのなす角度θ１１が鋭角である場合には、土寄せ面７６０ａが土を内側（凹部側）に寄せる土の流れが発生するとともに、土寄せ面７６０ａの裏面においても、土寄せ板７１０ａに沿って土が内側（凹部側）に流れることが判明した。これにより、土寄せ板７１０ａの土寄せ面７６０ａ側においてはもちろん、土寄せ面７６０ａの裏面においても、内側（凹部側）に流れる土の流れを発生させることができ、より効果的に土寄せすることができる。トラクタの走行に伴う一般的な代かき作速度（２〜５ｋｍ／ｈ）のとき、特にθ１１が約４５°である場合にこれらの効果がよりよく発揮されることが判明した。
【００４６】
また、図３（ｂ）を参照すると、土寄せ板７１０ａは、作業機に装着された状態において、土寄せ面７６０ａが、走行機体の進行方向（図３（ｂ）に矢印Ｄで示す方向）上の水平面に対して鋭角をなす。具体的には、図３（ｂ）において、土寄せ面７６０ａと走行機体の進行方向上の水平面とのなす角度θ１２が約６０°となるように、土寄せ板取付部材７２０ａと土寄せ板７１０ａとが傾斜して固定されている。
【００４７】
これに対して、土寄せ面７６０ａと走行機体の進行方向上の水平面とのなす角度θ１２が約９０°である場合（土寄せ面７６０ａが略鉛直である場合）には、土寄せ面が土を前方に押し出すことによって土寄せ板の前方に土が滞留し、凹部に十分な量の土を寄せることができないことが判明した。
【００４８】
本発明にかかる作業機のように、土寄せ面７６０ａと走行機体の進行方向上の水平面とのなす角度θ１２が鋭角である場合には、土寄せ面７６０ａが土を下方に押し流すことができるため、土を凹部の下方に寄せる土の流れを発生させることができる。
【００４９】
これにより、土寄せ板７１０ａの前方への土の押し出しを防止して跡消し性能を向上させると共に、圃場の稲わら等を土中にすき込むすき込み性能も向上させることができる。特にθ１２が約６０°である場合にはこれらの効果がよりよく発揮されることが判明した。
【００５０】
さらに、図３（ｂ）を参照すると、土寄せ板７１０ａは、作業機に装着された状態において、下辺の外側の切欠を構成する側部７１８ａが、走行機体の進行方向（図３（ｂ）に矢印Ｄで示す方向）上の水平面に対して鋭角をなす。具体的には、図３（ｂ）において、土寄せ板７１０ａの側部７１８ａと走行機体の進行方向上の水平面とのなす角度θ１３が約５０°となるように土寄せ板７１０ａの平面形状が規定されている。
【００５１】
これに対して、側部７１８ａと走行機体の進行方向上の水平面とのなす角度θ１３が約９０°である場合（側部７１８ａが略鉛直である場合）には、土寄せ板７１０ａの下辺の外側角部において稲わら等が引きずられることにより、すき込み性能が不十分になることが判明した。
【００５２】
本発明にかかる作業機のように、側部７１８ａと走行機体の進行方向上の水平面とのなす角度θ１３が鋭角である場合には、土寄せ板７１０ａの下辺の外側角部における稲わら等の引きずりを軽減することができる。
【００５３】
これにより、土寄せ板７１０ａによる跡消し性能を向上させると共に、圃場の稲わら等を土中にすき込むすき込み性能も向上させることができる。特にθ１３が約５０°である場合にはこれらの効果がよりよく発揮されることが判明した。
【００５４】
［土寄せ板とストレート爪（土寄せ爪）との組み合わせ］
さらに、土寄せ板７１０ａとともに、耕うんロータに取り付けられる多数の作業爪６１０のうち、タイヤ跡等の凹部の側方に位置する作業爪６１０として、耕うん軸に対して略直交する縦刃部がストレート形状であり、縦刃部から延設される横刃部が縦刃部に対して略直交する形状のストレート爪（土寄せ爪）を用いてもよい。
【００５５】
ストレート爪（図示せず）は、タイヤ跡等の凹部の側方に少なくとも１本設けられ、縦刃部から延設される横刃部が凹部側を向くように配置される。なお、ストレート爪がタイヤ跡等の凹部を挟むように左右両側方に配置される場合には、跡消し性能がより向上する。
【００５６】
土寄せ板７１０ａとともにストレート爪を用いることにより、土寄せ板７１０ａによって圃場表面の土を凹部に埋め戻すために移動させることができるとともに、ストレート爪によって土寄せ板７１０ａでは移動させることのできない圃場下層の土を移動させることができることによって、跡消し性能をより向上させることができる。
【００５７】
［土寄せ板と作業爪との間の距離］
さらに、土寄せ板７１０ａと作業爪６１０との間の距離（土寄せ板７１０ａと作業爪６１０の回動範囲６１２との距離）が近すぎると、土寄せ板７１０ａと作業爪６１０との間に土が滞留し、凹部に埋め戻される土の量が不十分になることが判明した。
【００５８】
本発明に係る作業機では、土寄せ板７１０ａと作業爪６１０との間の距離（土寄せ板７１０ａと作業爪６１０の回動範囲６１２との距離）約５０ｍｍとすることによって、土寄せ板７１０ａと作業爪６１０との間に土が滞留しない、良好な土流れを形成することができる。
【００５９】
以上のように、本発明の実施形態１に係る作業機１０によると、タイヤ跡等の凹部に十分な量の土を寄せることができ、跡消し性能が向上した土寄せ板を備える作業機を提供することができる。
【００６０】
〈実施形態１の変形例〉
図５を用いて実施形態１で説明した作業機１０の変形例について説明する。以下の変形例において、主に土寄せ板の形状が実施形態１と相違する。
【００６１】
図５は、本発明の一実施形態に係る作業機に装着される土寄せ板を示す図である。図５（ａ）は土寄せ板の側面図、図５（ｂ）は図５（ａ）のＡ方向から見た平面図、図５（ｃ）は図５（ａ）のＢ方向から見た平面図である。
【００６２】
図５（ｂ）に示すように、土寄せ板７１０ｂ（板状部７１１ｂ）の表面には、土寄せ面７６０ａ側（図５（ａ）のＡ方向から見た平面側）に凸となる凸状部７１２ｂが形成されている。図５（ｃ）に示すように、土寄せ板７１０ｂ（板状部７１１ｂ）の土寄せ面７６０ａの裏面には、凸状部７１２ｂに対応する位置に沿って凹状部７１４ｂが形成されている。図５（ｂ）において、凸状部７１２ｂは、土寄せ板７１０ｂ（板状部７１１ｂ）によって形成される土の流れる方向に沿って設けられている。
【００６３】
その他の構成については実施形態１と同じであるため、繰り返しの説明は省略する。
【００６４】
本実施形態にかかる作業機において、土寄せ板７１０ｂ（板状部７１１ｂ）の表面に、土の流れる方向に沿って設けられた凸状部７１２ｂが形成されることにより、土寄せ板７１０ｂによって形成される土の流れを補助することができるとともに、リブとして土寄せ板７１０ｂ（板状部７１１ｂ）の剛性を向上させることができる。
【００６５】
〈実施形態２〉
図６から図７を用いて実施形態２について説明する。以下の実施形態２において、主に土寄せ板の形状が実施形態１と相違する。
【００６６】
図６は、本発明の一実施形態に係る作業機に装着された状態における土寄せ部を示す部分説明図である。図６（ａ）は土寄せ板の上面図、図６（ｂ）は図６（ａ）のＡ方向から見た平面図、図６（ｃ）は図６（ａ）のＣ方向から見た平面図、図６（ｄ）は図６（ａ）のＢ方向から見た平面図である。
【００６７】
図７は、図６に示す土寄せ部に含まれる土寄せ板を示す図である。図７（ａ）は土寄せ板の側面図、図７（ｂ）は土寄せ板の平面図である。
【００６８】
図７（ｂ）に示すように、実施形態２において、土寄せ板７１０ｃは、土を寄せる板状部７１１ｃと、板状部７１１ｃの上部に延設されたハンドル部７１３とを有する。ハンドル部７１３には、土寄せ板７１０ｃを把持するための孔７１５が形成されている。
【００６９】
土寄せ板７１０ｃがハンドル部７１３を有することによって、土寄せ板７１０ｃの土寄せ板取付部材７２０ｃを支持部材７３０から取り外した場合における土寄せ板７１０ｃの取扱が容易になり便宜である。
【００７０】
また、図７（ｂ）に示す土寄せ板７１０ｃの板状部７１１ｃの形状において、実施形態１の土寄せ板７１０ａとやや異なる部分もあるが、実施形態１の土寄せ板７１０ａにおいて説明したＣ１１，Ｃ１２，Ｒ１１、Ｗ１１，Ｗ１２は、それぞれ土寄せ板７１０ｃにおけるＣ２１，Ｃ２２，Ｒ２１、Ｗ２１，Ｗ２２に相当するため、これらの構成に関する説明及び作用効果は実施形態１と同様である。
【００７１】
また、図６に示す作業機に装着された状態における土寄せ部７００ｃの構成においても、実施形態１の土寄せ部７００ａにおいて説明したθ１１，θ１２，θ１３は、それぞれ土寄せ部７００ｃにおけるθ２１，θ２２，θ２３に相当するため、これらの構成に関する説明及び作用効果は実施形態１と同様である。
【００７２】
なお図６では土寄せ部７００ｃのうち土寄せ板７１０ｃと土寄せ板取付部材７２０ｃのみを図示したが、土寄せ部７００ｃも実施形態１と同様に、支持部材７３０、土寄せ部取付部材７４０、グリップ７５０を有してもよい。
【００７３】
その他の構成については実施形態１と同じであるため、繰り返しの説明は省略する。
【００７４】
〈実施形態２の変形例〉
図８を用いて実施形態２で説明した作業機１０の変形例について説明する。以下の変形例において、主に土寄せ板の形状が実施形態２と相違する。
【００７５】
図８は、本発明の一実施形態に係る作業機に装着される土寄せ板を示す図である。図８（ａ）は本発明の一実施形態における土寄せ板の側面図、図８（ｂ）は図８（ａ）のＡ方向から見た平面図、図８（ｃ）は図５（ａ）のＢ方向から見た平面図である。
【００７６】
図８（ｂ）に示すように、土寄せ板７１０ｄ（板状部７１１ｄ）の表面には、土寄せ面７６０側（図８（ａ）のＡ方向から見た平面側）に凸となる凸状部７１２ｄが形成されている。図８（ｃ）に示すように、土寄せ板７１０ｄ（板状部７１１ｄ）の土寄せ面７６０の裏面には、凸状部７１２ｄに対応する位置に沿って凹状部７１４ｄが形成されている。図５（ｂ）において、凸状部７１２ｄは、土寄せ板７１０ｄ（板状部７１１ｄ）によって形成される土の流れる方向に沿って設けられている。
【００７７】
その他の構成については実施形態２と同じであるため、繰り返しの説明は省略する。
【００７８】
本実施形態にかかる作業機において、土寄せ板７１０ｄ（板状部７１１ｄ）の表面に、土の流れる方向に沿って設けられた凸状部７１２ｄが形成されることにより、土寄せ板７１０ｄによって形成される土の流れを補助することができるとともに、リブとして土寄せ板７１０ｄ（板状部７１１ｄ）の剛性を向上させることができる。
【００７９】
以上、本発明について図面を参照しながら説明したが、本発明は上記の実施形態に限られるものではなく、本発明の趣旨を逸脱しない範囲で適宜変更することが可能である。
【符号の説明】
【００８０】
１０：作業機、  １００：作業部、  １１０：シールドカバー、  １２０：整地体、  １２２、１３２：接続部、  １３０：レベラ、  ２００：延長作業部、  ２１０：延長シールドカバー、  ２２０：延長整地体、  ２３０：延長レベラ、  ５１０：レベラ拡張部、  ７００：土寄せ部、  ７１０：土寄せ板、  ７１１：板状部、  ７１２：凸部、  ７１３：ハンドル部、  ７１４：凹部、  ７２０：土寄せ板取付部材、  ７３０：支持部材、  ７４０：土寄せ部取付部材、  ７５０：グリップ、  ７６０：土寄せ面、  ６００：ロータ部、  ６１０：作業爪
【図１】
2020115884.tif 000003
【図２】
2020115884.tif 000004
【図３】
2020115884.tif 000005
【図４】
2020115884.tif 000006
【図５】
2020115884.tif 000007
【図６】
2020115884.tif 000008
【図７】
2020115884.tif 000009
【図８】
2020115884.tif 000010